(57)【要約】      （修正有）【課題】モジュールを保護することができ、交換がより便利なパネルライトを提供する。【解決手段】パネルライトは、主パネル１と、複数のＬＥＤ光源ユニット４とを含み、主パネルは、遮蔽カバープレート２と、遮蔽カバープレートの両側にそれぞれ設けられる複数の挟持留め具２１と、を含み、挟持留め具は、主パネルの内側壁面に吸着する磁性部材４５を採用し、複数のＬＥＤ光源ユニットは、主パネルに設けられ、各ＬＥＤ光源ユニットは、挟持留め具に設けられるブラケット４１と、ブラケットに設けられる光源板４２と、ブラケットに設けられて光源板を覆うランプシェード４３と、を含む。ＬＥＤ光源ユニットはモジュール化設計されている。【選択図】  図２
0003216233.tif 000002
【実用新案登録請求の範囲】
【請求項１】
主パネルと、複数のＬＥＤ光源ユニットとを含むパネルライトであって、
前記主パネルは、凹陥領域を含み、かつ、該主パネルは、前記凹陥領域に設けられる遮蔽カバープレートと、前記遮蔽カバープレートの両側にそれぞれ設けられる複数の挟持留め具と、を含み、
前記挟持留め具は、磁性部材によって前記凹陥領域の内側壁面に吸着し、
前記複数のＬＥＤ光源ユニットは、前記主パネルの前記凹陥領域に設けられ、
各ＬＥＤ光源ユニットは、前記挟持留め具に設けられるブラケットと、前記ブラケットに設けられる光源板と、前記ブラケットに設けられて前記光源板を覆うランプシェードと、を含むことを特徴とするパネルライト。
【請求項２】
前記主パネルは、フレームを含み、
前記フレームは、前記凹陥領域に設けられるとともに前記遮蔽カバープレートを受けて該遮蔽カバープレートにより覆われることを特徴とする請求項１記載のパネルライト。
【請求項３】
前記主パネルは、連結紐を含み、
前記連結紐の一端は前記遮蔽カバープレートに固定され、前記連結紐の他端は前記挿通孔に固定されることを特徴とする請求項２記載のパネルライト。
【請求項４】
前記主パネルは、電源部材を含み、
前記電源部材は、前記凹陥領域に設けられるとともに前記遮蔽カバープレートにより覆われることを特徴とする請求項１記載のパネルライト。
【請求項５】
前記主パネルは、配線モジュールを含み、
前記配線モジュールは、前記凹陥領域に設けられるとともに前記遮蔽カバープレートにより覆われることを特徴とする請求項１記載のパネルライト。
【請求項６】
各前記ＬＥＤ光源ユニットは、前記ブラケットの両端にそれぞれ設けられる複数のサイドカバーを含むことを特徴とする請求項１記載のパネルライト。
【請求項７】
前記主パネルは、複数のコード挿通孔と、前記複数のコード挿通孔に固定されるコード保護部材とを含むことを特徴とする請求項１記載のパネルライト。
【考案の詳細な説明】
【技術分野】
【０００１】
本考案は照明に関し、より詳細にはパネルライトに関する。
【背景技術】
【０００２】
嵌込式照明の固定フレームは、世界各地の商業用及び産業用として一般的に存在している。嵌込照明は天井に取り付けたり、天井から吊り下げたりすることができる。通常は、天井に設けられた凹部に嵌込照明を嵌め込んで、嵌込照明の背面を天井上方の排気領域まで突出させる。
【０００３】
従来の嵌込照明は、嵌込照明の横方向の長さに延びる細長い蛍光管が収容されている。従来の電球式の嵌込照明では、消費電力の高さや高温の問題があった。その後、業界でのＬＥＤ嵌込照明が開発されることで、ＬＥＤの特性が嵌込照明に利用されて省電力が達成され、より低温で使用できるように改善された。
【０００４】
従来の嵌込照明の細長い蛍光管は、モジュール化されておらずそれぞれが単一の光管を構成し、修理や交換がより不便であった。このため、従来の構造上の欠点をいかに克服するかが、当業者が考えるべき問題である。
【０００５】
従来の嵌込式照明を開示する文献として下記の特許文献１がある。特許文献１に開示のパネルライト発光装置は、機器の動作状態に応じて発光する発光素子と、前記発光素子から出力される光信号外部に出力するため略透明なパネルライトとを備え、前記パネルライトに少なくとも２つの略直交する発光面を備えている。特許文献１に開示のパネルライト発光装置によれば、光の発光確認範囲を１８０°以上に広くし、発光状態の確認を容易に行うことができる。
【先行技術文献】
【特許文献】
【０００６】
【特許文献１】特開平１１−２７２２１３号公報
【考案の概要】
【考案が解決しようとする課題】
【０００７】
しかしながら、従来のパネルライト発光装置は、光源部分がねじ止め等で固定されていたので光源部分を簡単に取り外すことができなかった。このため、光源部分に不良が生じた場合にはねじ止めをいったん取り外して光源部分を取り出して修理する必要があり、その作業が煩雑であった。
【課題を解決するための手段】
【０００８】
本考案は、上述した問題を鑑みてなされたパネルライトを提供するものであり、主パネルと、複数のＬＥＤ光源ユニットとを含み、前記主パネルは、凹陥領域を含み、かつ、該主パネルは、前記凹陥領域に設けられる遮蔽カバープレートと、前記遮蔽カバープレートの両側にそれぞれ設けられる複数の挟持留め具と、を含み、前記挟持留め具は、磁性部材によって前記凹陥領域の内側壁面に吸着し、前記複数のＬＥＤ光源ユニットは、前記主パネルの前記凹陥領域に設けられ、各ＬＥＤ光源ユニットは、前記挟持留め具に設けられるブラケットと、前記ブラケットに設けられる光源板と、前記ブラケットに設けられて前記光源板を覆うランプシェードと、を含むことを特徴とする。
【０００９】
一実施形態において、前記主パネルは、フレームを含み、前記フレームは、前記凹陥領域に設けられるとともに前記遮蔽カバープレートを受けて該遮蔽カバープレートにより覆われる。
【００１０】
一実施形態において、前記主パネルは、連結紐を含み、前記連結紐の一端は前記遮蔽カバープレートに固定され、前記連結紐の他端は前記挿通孔に固定される。
【００１１】
一実施形態において、前記主パネルは、電源部材を含み、前記電源部材は、前記凹陥領域に設けられるとともに前記遮蔽カバープレートにより覆われる。
【００１２】
一実施形態において、前記主パネルは、配線モジュールを含み、前記配線モジュールは、前記凹陥領域に設けられるとともに前記遮蔽カバープレートにより覆われる。
【００１３】
一実施形態において、各前記ＬＥＤ光源ユニットは、前記ブラケットの両端にそれぞれ設けられる複数のサイドカバーを含む。
【００１４】
一実施形態において、前記主パネルは、複数のコード挿通孔と、前記複数のコード挿通孔に固定されるコード保護部材とを含む。
【考案の効果】
【００１５】
本考案のパネルライトによれば、モジュール化されたＬＥＤ電源及びＬＥＤ光源を取外可能な設計にすることができる。ＬＥＤ光源ユニットに設けられた磁性部材が吸着することで、モジュールのメンテナンスが可能となり、より簡単に交換することができる。
【００１６】
本考案の照明器具において、電源部材を覆う遮蔽カバープレートに安全な吊り下げ式の連結紐による保護を採用することで、メンテナンスの過程で省力化することができ、下にいる人に遮蔽カバープレートを渡して放置しなくてもよい。そして、ＬＥＤ光源ユニットの照明本体の設計を都合良く進められるため、ＬＥＤ光源ユニットを取り外した後で単独包装が可能であり、さらに、複数のＬＥＤ光源ユニットは、重ねて一緒に包装しておくことが可能であるため、包装時の体積がより小さくなり、輸送コストを下げることができる。
【図面の簡単な説明】
【００１７】
【図１】本考案の外観を示す図である。
【図２】本考案の分解図（一）である。
【図３】本考案の分解図（二）である。
【図４】本考案の側面断面図である。
【図５】本考案の一部ユニットの外観を示す図である。
【図６】本考案の一部ユニットの俯瞰図である。
【図７】本考案のＬＥＤ光源ユニットの交換時の側面図である。
【考案を実施するための形態】
【００１８】
以下において、本考案の詳細及び利点を詳述する実施形態を説明する。本実施形態における開示、請求の範囲及び図面によれば、当業者が本考案の技術的な内容を容易に理解し、過不足なく十分に実施することができる。本技術分野における常識を有する者であれば、本考案に関連する目的及び利益を容易に理解することができる。
【００１９】
本考案の利点及び特徴並びにそれらを達成する方法は、例示的な実施形態及び図面を参照して熟読することによって容易に理解することができる。しかしながら、本考案は、本明細書に記載の実施形態に限定されるものと解釈されるべきではなく、様々な形態で具体化することができる。逆に、当業者であれば、これらの実施形態は、完全に完結しており、本考案の範囲を完全に伝達するように提供されており、本考案は、添付の実用新案登録請求の範囲によってのみ限定されると理解される。
【００２０】
図面における構成要素又は構成要素の寸法及び相対的大きさは、明瞭に理解できるように概略的に記載されている。本明細書における同一の構成要素の記号は同じ構成要素を示すものである。以下で使用される「及び／又は」の用語は、１または複数の関連して列挙される選択肢のいずれか及び全ての組合せを含む。
【００２１】
特段に定義する場合を除いて、後述するあらゆる用語（技術用語及び科学用語を含む）は、当業者が一般的に理解する意味と同義で用いる。さらに、例えば一般的に使用される辞典で定義される用語は、関係する技術分野の内容と一致する意味を有すると理解され、後の明細書において明示的に定義されない限り、過度に抽象化又は限定化した意味で解釈されると理解すべきではない。
【００２２】
以下においては、添付の図面を参照して例示的な実施形態を詳述するが、これらの実施形態は、異なる形態で具体化することも可能であるため、本考案の範囲を限定するものとして解釈されるべきではない。これらの実施形態は、本考案の開示を完全かつ明確にするために提供され、当業者は、これらの実施形態を通じて本考案の範囲を理解することができる。
【００２３】
図１〜図７を参照して、図１は外観を示す図であり、図２は分解図（一）であり、図３は分解図（二）であり、図４は側面からの断面図であり、図５は部分モジュールの外観を示す図であり、図６は部分モジュールの俯瞰図であり、図７はＬＥＤ光源ユニット４の交換を示す側面図である。本実施例中において、パネルライトは主パネル１および複数のＬＥＤ光源ユニット４を含む。
【００２４】
図１〜図４を参照すると、前記主パネル１は金属製の薄型板からなり、主パネル１には一の側面に凹状の外枠が形成されており、つまり、主パネル１は内側に凹陥領域を含む。
【００２５】
図１〜図６を参照すると、前記主パネル１は、前記凹陥領域に設けられる遮蔽カバープレート２と、前記遮蔽カバープレート２の両側にそれぞれ設けられる複数の挟持留め具２１と、を含む。遮蔽カバープレート２は金属製の薄型板からなり、遮蔽カバープレート２は側面から見てＶ字型の外観を呈し、遮蔽カバープレート２の両側の弾性延伸片の端部は、主パネル１の内側壁面の留め孔の内部に接していてもよく、使用時に弾性延伸片を押下して分解することができる。挟持留め具２１は側面から見てＵ字型の外観を呈し、挟持留め具２１の両側のアーム端部はフック部分を有する、相対的な湾曲部からなり、これを用いてＬＥＤ光源ユニット４のブラケット４１を固定する。
【００２６】
図１〜図７を参照すると、前記挟持留め具２１は、前記主パネル１の前記凹陥領域の内側壁面に吸着する磁性部材４５を採用することで、ＬＥＤ光源ユニット４のモジュールのメンテナンスを可能にし、交換がより便利であり、必ずしも全部の部品をメンテナンスのために取り外したり交換したりする必要がなく、螺子巻きのような煩雑な工程を必須としない。
【００２７】
図２〜図７を参照すると、複数のＬＥＤ光源ユニット４が前記主パネル１の前記凹陥領域に設けられ、各ＬＥＤ光源ユニット４は、前記挟持留め具２１のブラケット４１と、前記ブラケット４１の上に設けられる光源板４２と、前記ブラケット４１の上に設けられ前記光源板４２を覆うランプシェード４３と、を含む。光源板４２の上には数組の複数のＬＥＤチップがあり、光源を投射するのに用いられる。ブラケット４１の両側に延びるアームは、ランプシェード４３の側面から見て弧状に湾曲した突出したカバーであり、ランプシェード４３の両側にはＣ字型のクリップが相対的に形成され、アームがＣ字型のクリップ内に入りこんで固定される。
【００２８】
図２、図４および図７を参照すると、各前記ブラケット４１はアルミニウム材料からなり、各ランプシェード４３は光をぼかすために用いられるので、光が眩しいという問題が生じない。伝統的なパネルライトの光は目を容易に刺激する。
【００２９】
図２、図４および図７を参照すると、各前記ＬＥＤ光源ユニット４は、前記ブラケット４１の両端にそれぞれ設けられる複数のサイドカバー４４を含み、各サイドカバー４４を介してブラケット４１とランプシェード４３とが両端で接合することで、光源板４２を封入し、水分侵入という問題が生じるのを防止する。
【００３０】
図２、図４および図７を参照すると、前記主パネル１は、前記凹陥領域の内部に設けられたフレーム３を含み、フレーム３は前記遮蔽カバープレート２を受けてかつ該遮蔽カバープレート２に覆われ、フレーム３は細長い形状の金属板からなり、フレーム３は主パネル１の内壁面上に鎖で固定されており、ここで、前記主パネル１は連結紐５を含み、連結紐５はか細い紐からなることができ、塑料を用いた紐または電線を利用して接続する方式を採用しており、すなわち、前記連結紐５の一方の端部は前記遮蔽カバープレート２に固定され、前記連結紐５の他方の端部は前記フレーム３に固定されているため、遮蔽カバープレート２を取り外してから、連結紐５を主パネル１の下方に吊り下げることで、遮蔽カバープレート２を再度装着したい場合に、遮蔽カバープレート２をすばやく手にとって装着をすすめることができるため、組み立て時間を短縮でき、その結果、利便性が高められる。
【００３１】
図２〜図７を参照すると、前記主パネル１は前記凹陥領域に電源部材６を含み、電源部材６は前記遮蔽カバープレート２に覆われ、電源部材６は配線に接続されて電力を提供する。
【００３２】
図２〜図７を参照すると、前記主パネル１は前記凹陥領域に配線モジュール７を含み、配線モジュール７は遮蔽カバープレート２に覆われ、配線モジュール７は配線および電源部材６に接続されて電力を提供する。
【００３３】
図２〜図７を参照すると、前記主パネル１は、複数の挿通孔２３と、前記複数の挿通孔２３の上に固定されたコード保護部材２２と、を含み、コード保護部材２２が挿通孔２３に封入されることで、ネズミ等の動物が挿通孔２３内に入って、配線を噛みちぎって複数のＬＥＤ光源ユニット４の照明動作に影響が出ることを防止する。
【００３４】
図２〜図７を参照すると、本実施例において、複数の鎖接部材８を用いること、なかでも、鎖接部材８が連結紐５の両端にそれぞれ鎖で固定されることで、連結紐５の一方の端部を遮蔽カバープレート２上に固定し、連結紐５の他方の端部をフレーム３に固定することで、さらに、複数の鎖接部材８を用いて電源部材６と配線モジュール７とが主パネル１の内側壁面上に鎖で固定され、かつ、複数の鎖接部材８を用いてフレーム３が主パネル１の内壁面上に鎖で固定される。
【００３５】
図７を参照すると、パネルライトのモジュール化ＬＥＤ電源およびＬＥＤ光源は取り外しが可能な設計にすることができる；ＬＥＤ光源ユニット４が採用する磁性部材４５が吸着することで、モジュールのメンテナンスが可能となり、交換がより便利である；照明器具の中を覆う電源部材６の遮蔽カバープレート２に、安全な吊り下げ式の連結紐５による保護を採用することにより、メンテナンスの過程で人手を省くことができ、下にいる人に遮蔽カバープレート２を渡して放置しなくてもよい；そして、ＬＥＤ光源ユニット４の照明本体の設計が都合良く進められるため、ＬＥＤ光源ユニット４を取り外した後に単独包装が可能であり、さらに、複数のＬＥＤ光源ユニット４を重ねて一緒に包装することが可能になるため、包装時の体積がより小さくなり、輸送コストを下げることができる。
【００３６】
以上で説明した実施形態は、本考案の技術的思想及び特徴、その目的を説明するためのものであって、当業者は本実用新案の内容を十分に理解しこれにより実施することができ、該実施例は本実用新案の請求の範囲を限定するものではなく、本考案の技術的範囲を逸脱するものではない。本考案の範囲は、本明細書に開示された技術的思想に基づいてなされたあらゆる均等な変更又は修正をも含む。
【００３７】
以上述べたように、本考案は従来技術を超越することで所望の更なる効果を実現している。本考案は当業者によって容易に想起し得ず、進歩性及び実用性を有する。
【符号の説明】
【００３８】
１  主パネル
２  遮蔽カバープレート
２１  挟持留め具
２２  コード保護部材
２３  挿通孔
３  フレーム
４  ＬＥＤ光源ユニット
４１  ブラケット
４２  光源板
４３  ランプシェード
４４  側面カバー
４５  磁性部材
５  連結紐
６  電源部材
７  配線モジュール
８  鎖接部材
【図１】
0003216233.tif 000003
【図２】
0003216233.tif 000004
【図３】
0003216233.tif 000005
【図４】
0003216233.tif 000006
【図５】
0003216233.tif 000007
【図６】
0003216233.tif 000008
【図７】
0003216233.tif 000009
【手続補正書】
【提出日】平成30年3月22日(2018.3.22)
【手続補正１】
【補正対象書類名】実用新案登録請求の範囲
【補正対象項目名】全文
【補正方法】変更
【補正の内容】
【実用新案登録請求の範囲】
【請求項１】
主パネルと、複数のＬＥＤ光源ユニットとを含むパネルライトであって、
前記主パネルは、凹陥領域を含み、かつ、該主パネルは、前記凹陥領域に設けられる遮蔽カバープレートと、前記遮蔽カバープレートの両側にそれぞれ設けられる複数の挟持留め具と、を含み、
前記挟持留め具は、磁性部材によって前記凹陥領域の内側壁面に吸着し、
前記複数のＬＥＤ光源ユニットは、前記主パネルの前記凹陥領域に設けられ、
各ＬＥＤ光源ユニットは、前記挟持留め具に設けられるブラケットと、前記ブラケットに設けられる光源板と、前記ブラケットに設けられて前記光源板を覆うランプシェードと、を含むことを特徴とするパネルライト。
【請求項２】
前記主パネルは、フレームを含み、
前記フレームは、前記凹陥領域に設けられるとともに前記遮蔽カバープレートを受けて該遮蔽カバープレートにより覆われることを特徴とする請求項１記載のパネルライト。
【請求項３】
前記主パネルは、連結紐を含み、
前記連結紐の一端は前記遮蔽カバープレートに固定され、前記連結紐の他端は挿通孔に固定されることを特徴とする請求項２記載のパネルライト。
【請求項４】
前記主パネルは、電源部材を含み、
前記電源部材は、前記凹陥領域に設けられるとともに前記遮蔽カバープレートにより覆われることを特徴とする請求項１記載のパネルライト。
【請求項５】
前記主パネルは、配線モジュールを含み、
前記配線モジュールは、前記凹陥領域に設けられるとともに前記遮蔽カバープレートにより覆われることを特徴とする請求項１記載のパネルライト。
【請求項６】
各前記ＬＥＤ光源ユニットは、前記ブラケットの両端にそれぞれ設けられる複数のサイドカバーを含むことを特徴とする請求項１記載のパネルライト。
【請求項７】
前記主パネルは、複数のコード挿通孔と、前記複数のコード挿通孔に固定されるコード保護部材とを含むことを特徴とする請求項１記載のパネルライト。